Podtech/llm-jp-corpus-v4-ja_patent huggingface dataset:
(57)【要約】【課題】  従来のペットブラシは串（突起）の周りに引っ掛かった抜け毛や散らかった毛を手でとる煩わしさとそれに従う作業（ブラッシング）の途切れ等があった。本発明は掃除機に装着する機能を有し、本発明を使用することで簡単かつスムーズにペットのブラッシング作業を行うことを課題とする。【解決手段】  本発明を掃除機に装着しブラッシングすると、２のボタンを押す又は３のレバーを引くことを繰り返すだけで７の串（突起）が完全に消えることで抜け毛の残りが引っ掛かることも無く作業の途切れることもなく瞬時に全て８に吸い込まれる。【選択図】図１
2006326243.tif 000002
【特許請求の範囲】
【請求項１】
ペット（犬・猫等）のブラッシングの際に抜け毛をちらすことなくワンタッチで完全に毛を吸い取ることを特徴とする掃除機に装着できるペットも人もラクチンスッキリブラシ。
【請求項２】
前記のワンタッチとはボタンを一押しすることでブラシの部分が消え、掃除機に装着することで同時に毛を吸い取ることを特徴とする請求項１掲載のペットも人もラクチンスッキリブラシ。
【請求項３】
押していたボタンを離すことでブラシ部分が現れ、即座にブラッシング作業に移行できる請求項１掲載のペットも人もラクチンスッキリブラシ。
【請求項４】
前記のワンタッチとはレバーを一度引くことでブラシの部分が消え、掃除機に装着することで同時に毛を吸い取ることを特徴とする請求項１掲載のペットも人もラクチンスッキリブラシ。
【請求項５】
引いていたレバーを戻すことでブラシ部分が現れ、即座にブラッシング作業に移行できる請求項１掲載のペットも人もラクチンスッキリブラシ。
【請求項６】
掃除機に装着するパイプ部分の径は３種類あるので、どこのメーカーの掃除機にも装着可能な請求項１のペットも人もラクチンすっきりブラシ。
【発明の詳細な説明】
【技術分野】
【０００１】  この発明はペットなどのブラッシングに用いるブラシの形状に関する。
【背景技術】
【０００２】  従来のペットブラシはブラッシングの際のブラシに残った毛を手で取る、そして散らかった毛を人の手で掃除するなどの煩わしさがあった。それによって作業（ブラッシング）が途切れる等の無駄な手間や時間を費やしていた。
【発明の開示】
【発明が解決しようとする課題】
【０００３】  従来のペットブラシは突起部分に残った毛、散らかった毛を人の手で取る煩わしさがありそれによって作業（ブラッシング）が途切れる等の煩わしさがあったが、本発明は掃除機に装着するという機能を有しブラッシングと同時に抜け毛を吸い取り掃除もできることでブラッシング作業を途切れることなくスムーズかつ簡単に行うことを課題とする。
【課題を解決するための手段】
【０００４】  以上の課題を解決する第一の発明は２のボタンを押す事と離す事を繰り返すだけで７の串（突起）部分が瞬時に消える、現れるということを繰り返すので毛を取るためのブラッシング作業の途切れることなく瞬時に抜け毛を残さず吸い取る事を特徴とするペットも人もラクチンスッキリブラシである。【０００５】  第二の発明は３のレバーを引く事と離す事を繰り返すだけで７の串（突起）部分が瞬時に消える、現れるということを繰り返すのでブラッシング作業の途切れることなく瞬時に抜け毛を吸い取る事ことを特徴とするペットも人もラクチンスッキリブラシである。【０００６】  第三の発明は掃除機に装着するパイプ部分の径が３種類ありどこのメーカーの掃除機にも装着し使用できることを特徴とするペットも人もラクチンスッキリブラシである。
【発明の効果】
【０００７】  第一の発明および第二の発明および第三の発明によれば、従来のペットブラシにはあったブラシに残っていた抜け毛、または散らかっていた抜け毛が一本も残らずにきれいに吸い取られる効果が大である。
【発明を実施するための最良の形態】
【０００８】  この発明の実施形態を図１，２，３，４，５，６，７に示す。ペットも人もラクチンスッキリブラシ本体１はプラスティック製であり、本体１の上には２のプラスティック製のボタン又は３のレバーが設けられている。この２のボタンを押す又は３のレバーを引くことで７のプラスティック製の串（突起）部分が消える（引っ込む）ことで串（突起）部分に引っ掛かっていた抜け毛が全て掃除機に吸い取られるのである。押す又は引いた指を離すことで９のバネの力により串（突起）部分が現れる（出る）を瞬時に繰り返す。４，５，６のパイプの径を変えることでどんなメーカーの掃除機にも合う構造である。
【実施形態の効果】
【０００９】  ボタン２を押す又は３のレバーを引くことで串（突起）部分が消えるのと離すことで９のバネの力で現れる（出る）を瞬時に繰り返すので煩わしい無駄な作業をする必要がなく本発明を掃除機に装着し使用することで簡単できれいかつ清潔にペットの抜け毛を吸い取ることが出来る。
【図面の簡単な説明】
【００１０】
【図１】この発明の一実施形態を示す横から見た斜視図
【図２】ボタン式の一実施形態を示す横から見た斜視図
【図３】レバー式の一実施形態を示す横から見た斜視図
【図４】上（ボタン又はレバー側）からの斜視図
【図５】ボタン式の上からの斜視図
【図６】レバー式の上からの斜視図
【図７】下（ブラシ側）からの斜視図
【符号の説明】
【００１１】  １          ペットも人もラクチンスッキリブラシ本体
２          ボタン
３          レバー
４，５，６  どこのメーカーの掃除機にも合う構造
７          串（突起）部分
８          吸い口
９          バネ
【図１】
2006326243.tif 000003
【図２】
2006326243.tif 000004
【図３】
2006326243.tif 000005
【図４】
2006326243.tif 000006
【図５】
2006326243.tif 000007
【図６】
2006326243.tif 000008
【図７】
2006326243.tif 000009
(57)【要約】      （修正有）【課題】誰でも手軽に簡単に歯茎のマッサ−ジ効果を効率よく得ることの出来る歯茎のマッサ−ジ器を提供する。【解決手段】動力駆動の振動や超音波振動発生機能を備えた電動マッサ−ジ具本体１に、先端が流線形のマッサ−ジ部５を有するへの字形をした支柱４を連設したマッサ−ジ柄部３を設けた歯茎マッサ−ジ器であって、マッサ−ジ部には柔軟性を有する天然ゴム、合成ゴム、シリコンゴム等の低弾性率の材料を用いたこと特徴とする電動歯茎マッサ−ジ器である。【選択図】図１
2006326246.tif 000002
【特許請求の範囲】
【請求項１】
動力駆動の振動や超音波振動発生機能を備えた電動マッサ−ジ具本体に設けた出力軸に、先端に流線形のマッサ−ジ部を装着したへの字形をしたマッサ−ジ部支柱基台を連設したマッサ−ジ柄部を挿着してある電動歯茎マッサ−ジ器であつて、マッサ−ジ部の先端に流線形で柔軟性を有するシリコンゴムを用いたこと特徴とする電動歯茎マッサ−ジ器。
【請求項２】
マッサ−ジ柄部にへの字形をしたマッサ−ジ部支柱基台を連設したことを特徴とする請求項１記載の電動歯茎マッサ−ジ器。
【発明の詳細な説明】
【技術分野】
【０００１】  本発明は、歯茎マッサ−ジ器に関するものである。
【背景技術】
【０００２】  従来から、歯茎マッサージ効果を得ることを目的として、歯ブラシの植毛を歯茎に当てた状態で手動で往復運動させたり、電動で歯ブラシを振動させて歯茎をマッサ−ジする歯茎マッサ−ジ用ブラシは広く一般に知られている。
【発明の開示】
【発明が解決しようとする課題】
【０００３】  しかしながら、歯茎のマッサ−ジは、歯周病の予防や治療、歯を健康に保つ上で極めて重要とされているが、歯のブラッシングにばかり気を取られて歯茎のブラッシングに十分な時間がとれなかったり、ブラッシングする場合も堅い歯ブラシでは歯茎が痛くて磨けず柔らかい歯ブラシではコシが弱いため力が入らず有効なマッサ−ジがなされない場合も多い。また、マッサ−ジの力加減と歯茎の状態によっては歯茎を傷つけてしまうこともある。さらに、それなりの大きさの歯ブラシを口の中に入れてブラッシングの動作に時間をかけることも非常に苦痛である。【０００４】    そこで、本発明は、従来は億劫で継続して行うことが困難な歯茎マッサ−ジを洗面所に立たず、暇な時間にテレビを見ながら、ラジオを聞きながら、あるいは新聞、雑誌を読みながらリラックスした状態で的確に歯茎マッサ−ジを行うことを可能ならしめたものであり、誰でも手軽に簡単に歯茎のマッサ−ジ効果を効率よく得ることの出来る歯茎のマッサ−ジ器を提供することを目的としている。
【課題を解決するための手段】
【０００５】  上記目的を達成するため、本発明は次の構成を備えている。すなわち、動力駆動の振動や超音波振動発生機能を備えた電動歯磨き具本体に設けた出力軸に、先端が流線形のマッサ−ジ部を有するへの字形をした支柱を連設したマッサ−ジを柄部を挿着してある電動歯茎マッサ−ジ器である。マッサ−ジ部の先端は、流線形で柔軟性を有する天然ゴム、合成ゴム、シリコンゴム等の低弾性率の材料を用いたこと特徴とする。【０００６】  また、柄部に連設したへの字形をした支柱の先端のマッサ−ジ部には、流線形で柔軟性を有する天然ゴム、合成ゴム、シリコンゴム等の低弾性率の材料を使用することによって歯茎を傷付けることなく押し当てた時に、より歯茎部分にフイットするようになる。
さらに、への字形をした細い支柱を柄部に連設することによって口の中で、色々な角度を取ることが出来るので歯茎の裏側や口の奥にまで容易に届き、口の中でマッサ−ジの動作を容易にとることができ、マッサ−ジ部を的確に歯茎部分に導くことができる。
【発明の効果】
【０００７】本発明に係るマッサ−ジ器によれば、歯ブラシ等を使用することなく、への字形をした支柱の先端に装着した流線形のマッサ−ジ部の柔軟材を介して振動が歯茎に直接伝達されるので、歯茎を摩擦などで傷つけることなく、的確にこまめにマッサ−ジすることができ、歯茎の健康維持に効果的に利用することが出来る。
【発明を実施するための最良の形態】
【０００８】本発明にかかる歯茎マッサ−ジ器の一実施の形態を図１に示す。
まず、基本構成の一つとして図１に示すように動力駆動の振動や超音波振動発生機能を備えた電動マッサ−ジ具本体（１）に設けた出力軸（２）に、先端が流線形のマッサ−ジ部（５）を装着したへの字形をしたマッサ−ジ部支柱基台（４）を連設したマッサ−ジ柄部（３）の開口部（７）を挿着する。電動マッサ−ジ具本体（１）で発生した振動がマッサ−ジ柄部（３）とへの字形をしたマッサ−ジ部支柱基台（４）を経て、への字形をしたマッサ−ジ部支柱基台（４）の先端に装着してある流線形で柔軟性を有するマッサ−ジ部（５）の天然ゴム、合成ゴム、シリコンゴム等の低弾性率の柔軟材を介して直接歯茎に伝達されることを特徴とする電動歯茎マッサ−ジ器である。【０００９】先端が流線形のマッサ−ジ部（５）は、流線形の直径が１．８〜２．２ｃｍで長さが１〜１．５ｃｍ程度のシリコンゴム等の柔軟材が適当である。
マッサ−ジ部（５）の先端を流線形でシリコンゴム等の低弾性率の柔軟材を使用することによって電動歯茎きブラシの様にマッサ−ジの力加減や歯磨き時間により歯茎を傷つけることなく、また、電動歯茎きブラシの様にブラシ部分が大きくなく、小さな流線形の形をしているので口内で的確に歯茎をマッサ−ジすることが出来る。【００１０】への字形をしたマッサ−ジ部支柱基台（４）の支柱は、線径が２ｍｍ程度の鉄、ステンレス等の金属や軽金属等が適当であるがへの字形をしたマッサ−ジ部支柱基台（４）として耐えられる他の材料を使用することも出来、また、線径は、１．５〜３ｍｍ程度でも良い。への字形をしたマッサ−ジ部支柱基台（４）の支柱の先端の角度は３０度程度が適当であるが３０〜５０度の間の角度でも良い。
また、への字形をしたマッサ−ジ部支柱基台（４）の支柱は、電動歯磨きブラシの支柱よりほそく、先端は角度がついてへの字形をしているので、口の中で先端が流線形のマッサ−ジ部（５）を容易に操作でき、さらに口の奥の歯茎にも的確に誘導できる。【００１１】歯茎マッサ−ジ具（８）は、電動マッサ−ジ具本体１と一体成形であっても、或いは着脱自在に装着して使用するものであっても良い。【００１２】また、歯茎マッサ−ジ具（８）は、一般に市販されている電動歯磨き機の替えブラシと同じ位の長さなので、電動歯磨き機のブラシに替えて装着しても違和感なく歯茎マッサ−ジをすることもできる。
【図面の簡単な説明】
【００１３】
【図１】本発明の斜視図
【図２】本発明の電動マッサ−ジ具本体の斜視図
【図３】本発明の歯茎マッサ−ジ具の斜視図
【符号の説明】
【００１４】１  電動マッサ−ジ具本体
２  出力軸
３  マッサ−ジ柄部
４  への字型をしたマッサ−ジ部支柱基台
５  先端が流線形のマッサ−ジ部
６  スイッチ
７  開口部
８  歯茎マッサ−ジ具
【図１】
2006326246.tif 000003
【図２】
2006326246.tif 000004
【図３】
2006326246.tif 000005
(57)【要約】【課題】  エアーホッケーゲーム機のパックの動きを単調なものから、多彩に進路方向が変る機構にすると共に、後から取付け、取外しが出来るようにする。【解決手段】  エアーホッケープレイフィールド上１に突起柱を取付け、パック３が突起柱２に当るとパック３の進路方向が変るようにする。また、突起柱２の材料の選択により、パック３の反発角度が異なり、当った後の方向の予測を困難にする。取付けは、フィールド上１の風穴４を利用しタッピングネジ９で留める。【選択図】    図１
2006326245.tif 000002
【特許請求の範囲】
【請求項１】
アミューズメントゲームのエアーホッケーゲーム機のプレイフィールド上１に円形の突起柱２を取り付け、パック３の進路方向を変化させる動きを発生させることが出来る機能セット。
【請求項２】
突起柱２に従来のエアーホッケー機の風穴用の穴４と同じピッチの穴を設け、従来のエアーホッケー機にも後から取り付けることが出来る構造を持ったセット。
【発明の詳細な説明】
【発明の詳細な説明】
【技術分野】
【０００１】  本発明は、エアーホッケーゲーム機のプレイフィールド上１に突起柱２を設置することにより、パック３が突起柱に当った場合にパック３の進路が変化し、パック３の受け手側５の予測を困難にする。突起柱２を円形にする事により、パック３が突起柱２に当った時の位置により、跳ね返る角度を異ならせる。また、突起柱２の材料をプラスティック、ゴム等の選択により、反発率の異なる、また、パック３の回転向きにより反発角度の変化をつけさせる事が出来る。突起柱２の底面に両面テープ５を貼り、また、エアーホッケーのフィールド上１の風穴４と同じピッチに穴を設けることにより、後設置、また、取り外しも可能な構造にする。
【背景技術】
【０００２】  従来のエアーホッケー機は、プレイフィールド上１にパック３の進路の障害となる物がなく、相手プレイヤー６から打ち出されたパックを直接、又は側面に当って跳ね返って来るのを打ち返すため、パック３の進路方向が単調で、繰り返し遊ぶことにより、パック３の進路方向の予測が出来るようになり、単調であった。
【発明が解決しようとする課題】
【０００３】  従来のエアーホッケー機は、２人又は４人のプレイヤーがフィールド上１のパック３をマレット７と言う道具で弾き飛ばし、相手のゴール８にパック３を入れて得点を取るゲームで、繰り返しプレイすると、単調で、変化がなかった。
【課題を解決するための手段】
【０００４】  プレイフィールド上１に円柱の突起柱２を取付け、パック３が突起柱２に当ると方向が変り、受け手側５の予測対応を困難にすることが出来る。フィールドが大きい場合は、この突起柱２の数を多くする事により、複雑な動きを得る事が可能となる。突起柱２の材料をゴムにすると、パック３のその時の回転向きにより、跳ね返る角度が異なってくる為、さらに予測困難になる。また、突起柱２は円形にし、パック３が当る位置により、跳ね返る角度が変るようにしている。
【発明を実施するための最良の形態】
【０００５】  本発明は、フィールド上１のパック３の動きを多様化させ、かつ、従来のエアーホッケー機にも取り付け可能にした物で、それを図面について説明すれば、突起柱２に穴を設け、プレイフィールド上１の中央にフィールドの風穴４を利用してタッピングネジ９、と両面テープ１０を使用して留める。
【実施例】
【０００６】  既存のエアーホッケーゲーム機にて取付けテスト、効果実証済み。
【発明の効果】
【０００７】  本発明により、エアーホッケーゲーム機の遊びがより高い技術を要求されるようになり、遊戯性を高め、従来の製品と異なり、新しいゲームとしての需要が期待できる。
【図面の簡単な説明】
【０００８】
【図１】  プレイフィールド上突起柱とパックの動きを示した図である。
【図２】  従来のプレイフィールドとパックの動きを示した図である。
【図３】  突起柱の材質をゴム製にした場合のパックの動きを示した図である。
【図４】  突起柱が取付けられた部分の三面図。
【図５】  突起柱の取付け方断面図。
【符号の説明】
【０００９】          １    プレイフィールド
２    突起柱
３    パック
４    風穴
５    受け手側
６    相手プレイヤー
７    マレット
８    ゴール
９    タッピングネジ
１０    両面テープ
【図１】
2006326245.tif 000003
【図２】
2006326245.tif 000004
【図３】
2006326245.tif 000005
【図４】
2006326245.tif 000006
【図５】
2006326245.tif 000007
(57)【要約】      （修正有）【課題】白髪を、すばやく安全に、かつ、確実に切りことができるはさみを提供する。【解決手段】はさみの先をＶ字型にする。（白髪が捉えやすい）Ｖ字型の一番奥から、はさみの奥に向かって髪が通るくらいの隙間をあける。（白髪を誘導することが出来る）。この隙間の一番奥が、髪を切る箇所になり、この箇所に刃があることによって、白髪だけが切れる。【選択図】図２
2006326247.tif 000002
【特許請求の範囲】
【請求項１】
はさみの先を、Ｖ字型に開け、Ｖ字型の一番奥からはさみの奥に向かって、髪が通るくらいの隙間をあける。
隙間の一番奥が、髪を切る箇所になる。
この箇所に刃が有る事を特徴とする「白髪切り  はさみ」。
【発明の詳細な説明】
【技術分野】
【０００１】本発明は、白髪を切るものである。
【背景技術】
【０００２】従来は普通のはさみで切られていた。
【発明の開示】
【発明が解決する課題】
【０００３】（イ）従来は、細かい作業がしやすいようにと、先の細い（尖った）はさみを使用することが多く、頭髪を突くことがあり、危なかった。（先が丸いと生え際から切り辛い）
（ロ）１本の白髪を切ったつもりが周囲の何本かの黒髪を切ってしまうことが多かった。根元から切ろうとすると、尚の事近くの黒髪を切っていた。
（ハ）自分で切る時は、鏡を見ながらするので左右が反対に映り、指でつまんだ白髪をはさみが捕らえづらく、時間がかかり腕がだるくなった。
本発明は、これらの問題点を解決する為になされたものである。
【課題を解決する為の手段】
【０００４】（イ）はさみの先をＶ字型に開ける。（白髪が取らえ安い）
（ロ）Ｖ字型の一番奥からはさみの奥に向かって髪が通るくらいの隙間を開ける。（白髪を誘導することが出来る。）
（ハ）この隙間の一番奥が髪を切る箇所になる。この箇所に刃があることによって白髪だけが切れる。
【発明の効果】
【０００５】切りたい白髪１本を指でつまみ上げるとすばやく安全に、かつ、確実に切れる。
【発明を実施する為の最良の形態】
【０００６】以下、本発明の実施の形態について説明する。
（イ）はさみの先をＶ字型（１）にする。
（ロ）Ｖ字型の一番奥（２）から、（３）に向かって髪が通るくらいの隙間（４）を開ける。
（ハ）この（４）の隙間一番奥（３）が髪を切る箇所になる。この箇所に刃（６）があることによって髪が切れる。
（ニ）（５）は、はさみの刃の上限で、刃（６）は、これより下になるように取り付けられる。
本発明は、以上のような構成で、これを使用する時は、切りたい白髪一本を指でつまみ上げ、Ｖ字にそって髪を隙間（４）の一番奥（３）まで誘導する。これにより、安全、かつ、確実に白髪だけを切ることが出来る。
【図面の簡単な説明】
【０００７】
【図１】本発明の全体正面図
【図２】本発明の透視正面図
【符号の説明】
【０００８】１．  Ｖ字型ライン
２．  Ｖ字型の一番下
３．  髪を切る箇所（隙間の一番奥）
４．  隙間（２〜３の間）
５．  はさみの刃の上限
６．  はさみの刃
７．  はさみ本体
８．  はさみのカバー部分
【図１】
2006326247.tif 000003
【図２】
2006326247.tif 000004
(57)【要約】      （修正有）【課題】  ２個以上のメガネ等を収納でき、持ち運びし易いメガネケースを提供すること。【解決手段】  ２個以上のメガネ等を収納するために、内部に仕切りを設け、正面部分２または側面部分１あるいはその両方を開閉できるようにして、正面部分２または側面部分１の開けた箇所からメガネ等９を出し入れし、また、一部を透明部分５にすることにより、内部がすぐに確認でき、さらに、上部に手提げ部分または肩掛け部分４を設けることにより、持ち運びし易い。【選択図】    図３
2006326238.tif 000002
【特許請求の範囲】
【請求項１】
２個以上のメガネ等を収納するために、内部に仕切りを設け、正面部分または側面部分あるいはその両方を開閉できるようにして、正面部分または側面部分の開けた箇所からメガネ等を出し入れすることを特徴とするメガネケース。
【請求項２】
一部を透明にすることにより、内部をすぐに確認することができる請求項１のメガネケース。
【請求項３】
持ち運びし易いように、上部に手提げ部分または肩掛け部分を設けたことを特徴とする請求項１のメガネケース。
【発明の詳細な説明】
【技術分野】
【０００１】  本発明は、複数のメガネ等を収納することができるメガネケースに関するものである。
【背景技術】
【０００２】  従来、メガネケースは、１個のメガネ等のみを収納する機能しか有しなかった。そこで、近視用メガネ、老眼用メガネ、サングラス等複数のメガネ等を使用する場合には、その個数に対応するメガネケースが必要である。
【発明の開示】
【発明が解決しようとする課題】
【０００３】  そのために、次のような問題点があった。
使用するメガネ等の個数に対応するメガネケースを複数持ち、管理する事は煩わしいという欠点があった。
本発明は、以上の問題点を解決しようとするものである。
【課題を解決するための手段】
【０００４】  ２個以上のメガネ等を収納するために、内部に仕切りを設け、正面部分または側面部分あるいはその両方を開閉できるようにして、正面部分または側面部分の開けた箇所からメガネ等を出し入れする。また、一部を透明にすることにより、内部がすぐに確認でき、さらに、上部に手提げ部分または肩掛け部分を設けることにより、持ち運びし易いようになる。
以上を特徴とするメガネケースである。
【発明の効果】
【０００５】  本発明は、複数のメガネケースを管理する手間が省ける。また、メガネケースの一部を透明にすることでメガネケースの内部がすぐに確認できるようになる。さらに、メガネケースの上部に手提げ、または肩にかけられる部分を設けることにより、持ち運びが便利になる。
【発明を実施するための最良の形態】
【０００６】  以下、本発明の実施の形態を説明する。
（イ）メガネ等を収納したい時は、開閉可能な正面部分（２）または側面部分（１）を開けて、内部の仕切られた部分ごとに、２個以上のメガネ等を収納することができる。
（ロ）メガネ等を取り出したい時は、開閉可能な正面部分（２）または側面部分（１）を開けて、内部の仕切られた部分ごとに収納されている２個以上のメガネ等を各々取り出すことができる。
（ハ）内部にメガネ等が収納されているか瞬時に判るように、メガネケースの一部を透明（５）にすることもできる。
（ニ）メガネケースを持ち運びし易いように、手提げ部分、または肩に掛ける部分（４）を設けることもできる。
本発明は、以上の構成よりなっている。
本発明を使用する場合、正面部分（２）または側面部分（１）の開けた箇所からメガネ等を出し入れする。さらに、メガネケースに透明部分（５）を設けることにより、メガネケースを開けることなく内部を確認することが可能になる。また、メガネケースの上部に手提げまたは肩に掛ける部分（４）を設けることにより、持ち運びが便利になる。
【図面の簡単な説明】
【０００７】
【図１】本発明の正面図
【図２】本発明の側面図
【図３】本発明において正面部分を開けた場合の側面図
【図４】本発明において側面部分を開けた場合の正面図
【図５】本発明において３個以上のメガネ等を収納する場合の正面図
【図６】本発明において３個以上のメガネ等を収納する場合の側面図
【図７】本発明において３個以上のメガネ等を収納する場合の正面図
【符号の説明】
【０００８】１  側面部分
２  正面部分
３  正面部分に設けた開閉部分
４  手提げまたは肩掛け部分
５  透明部分
６  側面部分に設けた開閉部分
７  ３個のメガネ等の収納に対応している場合の中間の収納部分
８  ３個のメガネ等の収納に対応している場合の中間の収納部分に設けた開閉部分
９  メガネ等
【図１】
2006326238.tif 000003
【図２】
2006326238.tif 000004
【図３】
2006326238.tif 000005
【図４】
2006326238.tif 000006
【図５】
2006326238.tif 000007
【図６】
2006326238.tif 000008
【図７】
2006326238.tif 000009
(57)【要約】【課題】    電気掃除機で集塵するとき一個の吸込口体で平面状の床面でも、隅や狭い場所でも形を変えて使用することの出来る、電気掃除機の吸込口体を提供する。【解決手段】  吸い込み口体を左と右の二つ分割し、それぞれが可動回転出来る軸を設け、平面状に開いたり、垂直に合体出来るようにして、吸込口体を取り替えずに形状を変えることにより平面の広い場所や、隅や狭い場所の塵埃を吸い取ることの出来る電気掃除機の吸込口体。【選択図】    図３
2006326237.tif 000002
【特許請求の範囲】
【請求項１】
吸込口体を左右の二つに分割し、分割した左右の吸込口体を回転可動出来るようにした電気掃除機の吸込口体。
【発明の詳細な説明】
【技術分野】
【０００１】  本発明は、電気掃除機の集塵するために使用する吸込口体の機能構造に関するものである。
【背景技術】
【０００２】  従来、電気掃除機の塵埃を吸い取る吸込口体は固定された形状のものが使用されており、使用目的に応じて其の目的に適した形状の吸込口体に取り替えて使用していた。
【発明の開始】
【発明が解決しょうとする課題】
【０００３】  そのために、次のような問題点があった。
吸込口体を変更するときは、別の吸込口体を用意し今まで使用してた吸込口体を抜き取った後、用意してた別の吸込口体を差し込み、抜き取った吸込口体の処置など、手間がめんどうだった。
本発明は以上の問題点を解決しようとするものである。
【課題を解決するための手段】
【０００４】  吸込口体を左右の二つに分け、それぞれ軸を中心に回転可動出来るようにする、左右の吸込口体を開いたときは、平面の床面で使用し、左右の吸込口体を折りたたみ合体させたときは、筒状の吸込口体となり隅や狭い処で使用できる、電気掃除機の吸込口体である。
【発明の効果】
【０００５】  本発明は、電気掃除機で、塵埃を吸い取るとき、目的により形の異なる吸込口体を取り替える手間や煩わしさが大幅に改善される。
【発明を実施するための最良の形態】
【０００６】  以下、本発明の実施の形態を説明する。
（イ）吸込口体を左吸込口体（１）と右吸込口体（２）の二つに分割する。
（ロ）左吸込口体（１）が回転可動出来る軸（５）、右吸込口体（２）が回転可動出来る軸（６）を設ける。
（ハ）左吸込口体（１）と右吸込口体（２）の側面に塵埃が吸い込まれる空隙（３）（４）を設ける。
本発明は、以上の構成になっている。
本発明を使用するときは，電気掃除機で平面状の床面などを掃除する場合は左右の吸込口体（１）と（２）を水平に開いた状態で使用し、隅や狭い場所を掃除するときは、吸込口体（１）と（２）を垂直状に立てて合体させることにより吸込口体の側面に設けた空隙（３）、（４）がお互い向き合い、筒状の吸込口体となり、隅や狭い場所の掃除に適合する形となる。
【図面の簡単な説明】
【０００７】
【図１】本発明の吸込口体を開いた状態の平面図
【図２】本発明の吸込口体を開いた状態の正面図
【図３】本発明の吸込口体を立てて筒状にした状態の正面図
【符号の説明】
【０００８】  １  左吸込口体
２  右吸込口体
３  左空隙部
４  右空隙部
５  左吸込口体可動回転軸
６  右吸込口体可動回転軸
７  集塵接続管
【図１】
2006326237.tif 000003
【図２】
2006326237.tif 000004
【図３】
2006326237.tif 000005
(57)【要約】【課題】ガスレンジグリル使用後の、洗浄を不用にするガスレンジグリル使い捨て受け皿を提供する。【解決手段】任意のガスレンジグリル内に使用する付属受け皿に置載可能な周壁を有するアルミ箔製の受け皿と、受け皿内に配置されるグリル調理対象物を浮かせかつ調理対象物に触れないように受け皿に水を張ることが出来るように起伏した形状よりなるアルミ箔製の仕切板より構成されるガスレンジグリル用補助具。【選択図】    図１
2006326239.tif 000002
【特許請求の範囲】
【請求項１】
任意のガスレンジグリル内に使用する付属受皿に置載可能な周壁を有するアルミ箔製の受皿と、受皿内に配置されるグリル調理対象物を浮かせかつ調理対象物に触れないように受皿に水を張ることが出来るように起伏した形状よりなるアルミ箔製の仕切板より構成されるガスレンジグリル用補助具。
【発明の詳細な説明】
【技術分野】
【０００１】本発明は、ガスレンジグリル使用後の洗浄を、不用にすることを目的とした、ガスレンジグリル使い捨て受け皿である。
【背景技術】
【０００２】従来のアルミ箔製受け皿は、ガスレンジグリル付属の網の上に置くものもしくは、アルミ箔のシートをガスレンジグリル付属の受け皿に敷くものが有る。
【特許文献１】特許公開平１０−２９５５５０
【特許文献２】特許公開平０５−０９４６１４
【発明の開示】
【発明が解決しようとする課題】
【０００３】そのために、次のような問題点があった。
（イ）ガスレンジグリル付属の網の上に置くものを使用した場合、受け皿は汚れてしまう。
（ロ）ガスレンジグリル付属の受け皿にアルミ箔のシートを敷くものは、網は汚れてしまう。
以上のように、使用後の洗い物は大変であった。
【課題を解決するための手段】
【０００４】任意のガスレンジグリル内に使用する付属受け皿に置載可能な周壁を有するアルミ箔製の受け皿と、受け皿内に配置されるグリル調理対象物を浮かせかつ調理対象物に触れないように受け皿に水を張ることが出来るように起伏した形状よりなるアルミ箔製の仕切り板より構成されるガスレンジグリル用補助具。
【発明の効果】
【０００５】本発明は、ガスレンジグリルに付属された網を使用せず、アルミ箔で出来た仕切り板付受け皿を使用することにより、台所仕事からグリルの洗浄をなくすものである。
【発明を実施するための最良の形態】
【０００６】以下、本発明の実施の形態を説明する。
本発明は、アルミ箔製のトレーと、このトレー上に配置するアルミ箔製の仕切り板より構成される。トレーは、任意のガスレンジグリルの付属受け皿上に配置される大きさ形状よりなっている。
（イ）アルミ箔のトレー１の底は、図３に示すように波型仕切り板３を乗せるための波型仕切り板とほぼ同じ幅のくぼみ２がある。
（ロ）このくぼみ２は、波型仕切り板３がトレーの中で固定されるためのものである。
（ハ）波型仕切り板３は、図４に示すように調理対象物５がしっかり乗るような間隔とし、調理対象物５を傷つけず、なおかつ強度のある丸型とする。この際両端部はトレー１の周壁により押さえられ荷重でつぶれないようになっている。
（ニ）このトレー１に波型仕切り板３を乗せることによって使い捨て受け皿となる。
本発明は、上記の構成よりなっている。
本発明を使用するときは、ガスレンジグリル付属の受け皿から網と取り除き、上記のトレー１に波型仕切り板３を乗せて水６を張り、グリル付属の受け皿に置く。あとは調理対象物を乗せて焼き、焼き終わったら使い捨て受け皿は捨てる。よってガスレンジグリルの網と受け皿は汚れず、洗浄の必要はなくなる。【０００７】以下、第２実施の形態を説明する。
（イ）アルミ箔のトレー９の底は、図９に示すように山形仕切り板１１をのせるための山形仕切り板とほぼ同じ幅のくぼみ１０がある。
（ロ）このくぼみ１０は、山形仕切り板１１がトレーの中で固定されるためのものである。
【図面の簡単な説明】
【０００８】
【図１】本発明の斜視図
【図２】本発明の分解斜視図
【図３】本発明の分解斜視図
【図４】本発明の使用状態の断面図
【図５】本発明の使用状態の断面図
【図６】本発明の使用状態を示す斜視図
【図７】本発明の斜視図
【図８】本発明の分解斜視図
【図９】本発明の分解斜視図
【符号の説明】
【０００９】１  トレー
２  くぼみ
３  波型仕切り板
４  付属受け皿
５  調理対象物
６  水
７  ガスレンジ
８  グリル
【図１】
2006326239.tif 000003
【図２】
2006326239.tif 000004
【図３】
2006326239.tif 000005
【図４】
2006326239.tif 000006
【図５】
2006326239.tif 000007
【図６】
2006326239.tif 000008
【図７】
2006326239.tif 000009
【図８】
2006326239.tif 000010
【図９】
2006326239.tif 000011
(57)【要約】【課題】  １袋、１袋に点字数字を入れた、視覚障害の方にも携帯出来る薬袋を提供する。【解決手段】  単体の袋に、点字数字を入れ、算用数字の表面も表した物を併記して、毎日でも１週間でも携帯できることを特徴とした薬袋である。【選択図】  図１
2006326235.tif 000002
【特許請求の範囲】
【請求項１】
１袋、１袋が単体であるため、１日分からの携帯が出来ることと、点字を併記して視覚障害者の方にも日が確認できることが特徴の薬剤袋。
【発明の詳細な説明】
【技術分野】
【０００１】  本発明は投薬された内用薬を、患者が服用する指定日と１回量の指定の薬剤を入れ、処方通りに薬剤を服用することを容易にし、また、視覚障害者の方にも日がわかるように、点字を入れ、算用数字の日も併記するようにした携帯薬入れに関するものである。
【背景技術】
【０００２】  従来、内用薬について、医師の処方せんに従って、患者に投薬される分量、用法等が表示され数日分の薬剤がまとめて入った薬袋が一般的である。
【発明の開示】
【発明が解決しようとする課題】
【０００３】  次の問題点があった。
入院及び外来患者は薬剤を服用する際、薬袋に記載された薬剤の種類を服用する都度、記載された内容を確認した後、薬袋から取り出し服用をしなければならなかった。
視覚障害のある方には、今迄に服用する薬の情報はないに等しく、ここに来て薬の情報が音声にて、えることが出来るようになって来ているが、提供される袋にも薬にも点字の標記が無いために、分別も出来ない状態である。
薬袋はタンスや引き出し、棚等に収納する場合が多く、服用の忘れになりやすい。
旅行及び出張、外出する時に薬袋のままだと１週間又は２週間分を一緒に持参することになる。
【課題を解決するための手段】
【０００４】  上記目的を達成するために、収納袋と薬剤袋に分け１日から３１日迄の薬剤袋を収納袋に収めて、日毎及び２、３日分取り出し紐で束ねて、携帯できる薬袋である。
【発明の効果】
【０００５】  １袋、１袋が単体で有るために、１日分からの携帯が出来ることと、服用する薬剤の管理が容易になる。
【発明を実施するための最良の形態】
【０００６】  以下本発明の形態を説明する
（イ）収納袋（２）に薬剤袋（１）を３１枚収納し、使用材料は透明なビニール素材等の材料を使用する。
（ロ）収納袋に点字（７）で左肩に薬入れ（７）と表示し、開閉はマジックテープ（登録商標）（３）、（４）等で行ない、左肩上に引き手（５）、（６）を取り付ける。
（ハ）薬剤袋（１）の１袋ごと背板に、点字（１２）で１から３１迄で日を表示し、算用数字（１３）を同じく、１から３１迄併記し、開閉はマジックテープ等で行ない、中央に引き手（１１）を設け、背板には、紐通し用の開口（８）を開ける。
（ニ）薬剤袋（１）の算用数字（１３）はマジックテープ等片方をカットして使用し、指で触って、数字がわかるようにする。
（ホ）紐（１６）、（１７）は２日又は１週間と袋の枚数に合わせ、束ねられるように任意の位置で、引き手（１４）、結束部分（１５）で留められるように、マジックテープ等を用いる。
（ヘ）収納袋（２）には、提供された内服薬用袋を薬と分けた後に確認出来るように入れ、保存して置く。
（ト）散剤と錠剤が有るので、併用出来る大きさに製作するのと、錠剤のみの薬剤袋（１）と収納袋（２）を作成する。
（チ）毎日使用するのと、外出、旅行等、その日その日に確認できるように紐（１６）、（１７）で束ねて、食卓の上や食器棚等のわかりやすいところに置くなり、掛けて置く。
【図面の簡単な説明】
【０００７】
【図１】  本発明の収納状態を示した斜視図である。
【図２】  本発明の単体を結束した時の斜視図である。
【図３】  本発明の単体の斜視図である。
【図４】  本発明の断面図である。
【図５】  本発明の結束用の説明図である。
【符号の説明】
【０００８】１  薬剤袋
２  収納袋
３  マジックテープ（登録商標）
４  マジックテープ
５  引き手
６  引き手
７  点字  薬入れ
８  結束用開口部
９  マジックテープ
１０  マジックテープ
１１  引き手
１２  点字  日  数字
１３  算用数字、マジックテープ
１４  引き手
１５  結束部分  マジックテープ
１６  紐  マジックテープ  長い
１７  紐  マジックテープ  短い
【図１】
2006326235.tif 000003
【図２】
2006326235.tif 000004
【図３】
2006326235.tif 000005
【図４】
2006326235.tif 000006
【図５】
2006326235.tif 000007
(57)【要約】      （修正有）【課題】外出先でも手軽にミルクを調整し、赤ちゃんに与えることが可能となり、赤ちゃんをもつお母さんの外出準備の手間を少しでも省くことを可能にした授乳セットを提供する。【解決手段】スティックパックの粉ミルク０１，０２と使い捨て哺乳瓶０３と簡易加熱容器０９にはいった水を１セットにした授乳セットを用意し、販売して、外出先でも手軽にミルクを調整し、赤ちゃんに与えることができるようにする。【選択図】図１
2006326236.tif 000002
【特許請求の範囲】
【請求項１】
粉ミルク、ペットボトルなどで出来た使い捨て哺乳瓶、簡易加熱容器にはいった水の３点を１セットにした授乳セット。
【請求項２】
粉ミルク、ペットボトルなどで出来た使い捨て哺乳瓶、簡易加熱容器にはいった水の３点を１セットにした商品を用意し、外出先でも手軽にミルクを調整して、赤ちゃんに与えることを可能にする方法。
【請求項３】
粉ミルク、ペットボトルなどで出来た使い捨て哺乳瓶、簡易加熱容器にはいった水の３点を１セットにした商品を、コンビニエンスストアーや、高速道路のサービスエリア、駅の売店、デパートの授乳室などで販売し、外出先でも手軽にミルクを調整して、赤ちゃんに与えることを可能にする授乳支援システム。
【発明の詳細な説明】
【技術分野】
【０００１】本発明は、外出先でも手軽にミルクを調製し、赤ちゃんに与えることが可能となり、赤ちゃんをもつお母さんの外出準備の手間を少しでも省くことを可能にするものである。［背景技術］【０００２】従来は、あらかじめ家で準備して行かない限り、外出先で手軽にミルクを調製、赤ちゃんに与えることができなかった。［発明の開示］［発明が解決しようとする課題］【０００３】赤ちゃんをもつお母さんが長時間の外出をしようとする際、お母さんは、赤ちゃんのための粉ミルク、哺乳瓶、お湯、タオル、おむつ、おしり拭き、おもちゃ、おかしなど、たくさんの持ち物を用意しなければならない上、自分自身の身支度と、赤ちゃんのおむつ替えや洋服の着替えもしないといけなかった。そのため、準備に大変な手間と時間がかかった。また、少しでも準備物を減らそうとしても、外出先では手軽にミルクを調製し、赤ちゃんに与えるという手段がなかったため、短時間の外出や次のミルクの時間まで時間の余裕があったとしても、思いがけず外出時間が長くなったことを想定して、念のため、必ず、粉ミルクと哺乳瓶とお湯は用意しなければならないという問題があった。【０００４】外出先でミルクを調製し、赤ちゃんに与えるために、家で準備していく物というのは、粉ミルクを小分けできるようにしたケース、もしくは袋に、適量の粉ミルクを入たもの、熱湯を入れた哺乳瓶、そして、保温ケースに哺乳瓶をいれ、外出するというのが一般的だった。しかし、お湯は、時間の経過と共に湯冷ましにしていくという方法のため、いざミルクが必要になった時に、お湯の温度が適切ではない場合があり、特に乗り物に乗っての移動中などはそれを冷ましたり、温めたりするのは、至難だった。［発明の開示］［発明が解決するための手段］【０００５】外出先でも手軽にミルクを調整し、赤ちゃんに与えることができるよう、粉ミルク、ペットボトルなどで出来た使い捨て哺乳瓶、簡易加熱容器にはいった水の３点を１セットにした商品を用意する。【０００６】上記商品を、コンビニエンスストアーや、高速道路のサービスエリア、駅の売店、デパートの授乳室などで販売する。［発明の効果］【０００７】外出先でも手軽にミルクを調製し、赤ちゃんに与えることができるという安心感が持て、粉ミルク、哺乳瓶、お湯を準備しなくても外出が出来る。また、必要な時にいつでも湯温が適切なため、赤ちゃんを待たせることなく、いつでもミルクを与えることができる。さらに、災害時にも手軽にミルクを調製し、赤ちゃんに与えることができるので便利。［発明を実施するための最良の形態］【０００８】発明の実施の形態を図１〜図３に基づいて説明する。【０００９】図においては、０１と０２はスティックパックになった粉ミルクで、０１の１００ｍｌ分のパックを２本と、０２の５０ｍｌ分のパックを１本つける。なを、ここで１００ｍｌのパックを２本と５０ｍｌのパックを１本用意する理由は、生後間もない赤ちゃんが飲むミルクの量は５０ｍｌもあれば十分で、成長と共に飲む量が増えるが、どんなに多くても２５０ｍｌまでが一般的なためである。【００１０】０３は一般的である２４０ｍｌまで計量できる、使い捨て哺乳瓶本体で、ペットボトルなどで作られたものにし、リサイクルが可能なものにする。哺乳瓶には目盛り０４をつけ、赤ちゃんがどれくらいの量を飲んだかわかるようにする。また、赤ちゃんの中には普段使用している乳首しか受け付けない子もいるため、乳首連結部５はねじ式で、乳首キャップ０６、および、乳首０７を哺乳瓶本体０３から取り外し、手持ちの乳首１２と手持ちの乳首キャップ１３とも取り替えを可能にする。またその際は、液垂れしないように、乳首連結部０５のねじ部分に薄手のシリコンゴムなどのゴム０８を巻きつけるようにする。【００１１】０９は簡易加熱容器で、その中に無菌の水１０が２５０ｃｃ入っている。必要な時に、人肌ぐらいに水を温める。また、哺乳瓶本体０３にお湯を注ぎやすいように、くちばし１１をつけたほうが良い。【００１２】簡易加熱容器には、例えば、特許公告  平４−３９８４９号公報というものがある。【０００１３】以下、上記構成の使用方法を説明する。外出先でミルクが必要になった場合、店で、このセット商品［図１］を購入し、まず、０９の簡易加熱容器にて人肌ぐらいに無菌の水１０を温める。その間に哺乳瓶の乳首キャップ０６、乳首０７を哺乳瓶本体０３の乳首連結部０５から外し、適温になったお湯を、出来上がり量の三分の二程度、使い捨て哺乳瓶本体０３に入れる。そして適当な本数のスティックパック０１、０２を開封し、使い捨て哺乳瓶本体０３に入れ、軽く混ぜ合わせる。その後、出来上がり量までお湯を足し入れ、哺乳瓶の乳首キャップ０６、乳首０７を乳首連結部０５に装着する。またその際、必要であれば、薄手のシリコンゴムなどのゴム０８を、乳首連結部０５のねじ部分に巻きつけ、手持ちの乳首１２、乳首キャップ１３を装着する。そして手で振り混ぜ合わせ、湯温を確認した後、赤ちゃんに与える。
【図面の簡単な説明】
【００１４】
【図１】スティックパックの粉ミルクと簡易加熱容器と使い捨て哺乳瓶の３点セット
【図２】哺乳瓶の形態
【図３】簡易加熱容器の形態
【符号の説明】
【００１５】０１  １００ｍｌ分のスティックパックの粉ミルク０２  ５０ｍｌ分のスティックパックの粉ミルク０３  ２４０ｍｌ計量できる、使い捨て哺乳瓶本体０４  目盛り０５  乳首連結部０６  乳首キャップ０７  乳首０８  薄手のシリコンゴムなどのゴム０９  簡易加熱容器１０  無菌の水１１  くちばし１２  手持ちの乳首１３  手持ちの乳首キャップ
【図１】
2006326236.tif 000003
【図２】
2006326236.tif 000004
【図３】
2006326236.tif 000005
(57)【要約】【課題】  室内や車内で手軽に使用できる安価で消臭効果の大きい新たな消臭手段を提供する。【解決手段】  不織布の袋２に、切断した蓬莱竹の葉３を詰め、プラスチックの結わえ具４で袋２の口を結わえて消臭袋１とする。この消臭袋１は、非通気性のある外袋５に入れて密封状態で製品として出荷し、使用時に外袋５から出して、室内や車内で例えば紐でぶら下げる。それにより、室内や車内の空気を消臭し、清浄な状態に保つことができる。【選択図】        図１
2006326199.tif 000002
【特許請求の範囲】
【請求項１】
消臭効果を有する植物の葉を切断して通気性を有する袋に詰めたことを特徴とする消臭袋。
【請求項２】
前記消臭効果を有する植物が蓬莱竹であることを特徴とする請求項１記載の消臭袋。
【発明の詳細な説明】
【技術分野】
【０００１】
本発明は、室内や車内を消臭するのに適した消臭袋に関する。
【背景技術】
【０００２】
室内や車内を消臭する手段としては、換気装置や空気清浄装置があり、また、芳香剤や、消臭効果を有する植物性抽出液を使用したものなどが従来から知られている（例えば、特許文献１参照。）。
【特許文献１】特開平９−１４０７７８号公報
【発明の開示】
【発明が解決しようとする課題】
【０００３】
しかしながら、換気装置や空気清浄装置は、それだけでは室内や車内の臭いを十分に除去できないことが多いし、芳香剤は、それ自体の臭いや成分の関係もあって、どこでも使用できるというものではない。また、消臭効果を有する植物性抽出液を使用するものは、例えば、松、杉、檜、その他の針葉樹、竹笹、茶、柑橘類等の葉あるいは樹液等より抽出する揮発性エキスで植物性抽出液を構成し、それを他の化合物や凝固剤と混合して製品化するのであって、製造工程が複雑でコストがかかる。
【０００４】
本発明は、こうした問題に鑑みてなされたもので、室内や車内で手軽に使用できる安価で消臭効果の大きい新たな消臭手段を提供することを目的とする。
【課題を解決するための手段】
【０００５】
本発明は、上記課題解決の手段として、天然の植物の葉が有する消臭効果を簡単な方法で最大限に活用可能な消臭袋を提供するものである。
【０００６】
すなわち、本発明の消臭袋は、消臭効果を有する植物の葉、特に蓬莱竹の葉を切断して通気性を有する袋に詰めたことを特徴とする。
【０００７】
消臭効果を有する植物の葉は、緑葉の状態で切断することで空気中への香りの発散が促され、消臭効果が高まる。特に、蓬莱竹の葉は、消臭効果が大きく、持続性も高い。
【０００８】
そして、この消臭袋の製造は、基本的には、消臭効果を有する植物の葉、特に蓬莱竹の葉と、通気性を有する袋を用意し、その植物の葉、特に蓬莱竹の葉を緑葉の状態で切断して袋に詰めるだけでよくて、複雑な工程を必要とせず、コストも時間もかからない。
【発明の効果】
【０００９】
以上の説明から明らかなように、本発明によれば、天然の植物の葉が有する消臭効果を簡単な方法で最大限に活用して室内や車内を効率良く消臭することができる。
【発明を実施するための最良の形態】
【００１０】
図１に本発明の実施の形態の一例の消臭袋を一部破断して示している。
【００１１】
図１に示すこの実施の形態の消臭袋１は、不織布からなる手のひらサイズの袋２に、切断した蓬莱竹の葉３を詰めて、プラスチックの結わえ具４で袋２の口を結わえたものであり、非通気性の外袋５に入れられ、密封状態で製品として出荷される。
【００１２】
蓬莱竹の葉２は、採取した葉を水洗し、乾燥させ、消毒した後、シュレッダーにかけて細短く切り、緑葉の状態で袋詰めする。
【００１３】
この消臭袋１は、使用時に外袋５から出し、室内や車内で例えば紐でぶら下げて使用する。そうすることで、室内や車内の空気中に蓬莱竹の葉３の香りが発散し、その消臭効果により、室内あるいは車内の不快な臭いが除去される。
【００１４】
蓬莱竹の葉の場合、消臭効果は、季節にもよるが概ね２週間以上は持続する。そのため、月に２回程度新しい消臭袋１に交換するだけで、室内や車内の空気を常に消臭された清浄な状態に保つことができる。
【００１５】
この消臭袋１は、病院等の医療施設にも最適で、室の広さ等に応じて消臭袋１の使用数を増やすことにより快適な室内環境を維持できる。
【００１６】
この消臭袋１は、また、消臭・防臭以外に、入浴剤、養毛剤といった用途にも使用できる。
【００１７】
蓬莱竹の葉は、消臭効果に優れるとともに、アトピー性皮膚炎等の皮膚疾患の治療にも優れた効果があり、育毛・養毛の促進効果も大きい。そのため、この消臭袋１を浴槽に入れて入浴することで、アトピー性皮膚炎等の治癒効果が期待できる。また、この消臭袋１を洗面器等に入れて浸した湯で洗髪することで、育毛・養毛効果が期待できる。
【００１８】
なお、上記実施の形態では蓬莱竹の葉を使用しているが、蓬莱竹以外の竹や、その他の消臭効果を有する植物の葉を使用することも可能である。
【００１９】
また、上記実施の形態では、不織布の袋を使用しているが、通気性を有する袋であれば他の材質・構造の袋を使用してもよい。
【００２０】
本発明は、その他、様々な態様で実施することができる。
【図面の簡単な説明】
【００２１】
【図１】本発明の実施の形態の一例の消臭袋を一部破断して示す正面図である。
【符号の説明】
【００２２】
１  消臭袋
２  袋
３  切断した蓬莱竹の葉
４  結わえ具
５  外袋
【図１】
2006326199.tif 000003
(57)【要約】      （修正有）【課題】柔らかく感触の良いオットマンを提供する。【解決手段】オットマン１において、オットマン１に空気層２、空気層３と底部７を設け、空気層２にシール部４、シール部５と逆支弁８を設け、空気層３にシール部４、シール部６を設けた事を特長とするオットマンに関する。従来のオットマン１は硬い木やプラスチック、鉄、アルミ等を利用していたが、ポリエチレン素材を使用する為、柔らかさや感触の良さも提供する事が可能である。また保温されたペットボトルを筒の間に挟み込む事により、柔らかさと同時に温かさも提供する事が出来る。【選択図】図１
2006326007.tif 000002
【特許請求の範囲】
【請求項１】
オットマン（１）において、オットマン（１）に空気層（２）、空気層（３）と底部（７）を設け、空気層（２）にシール部（４）、シール部（５）と逆支弁（８）を設け、空気層（３）にシール部（４）、シール部（６）を設けた事を特長とするオットマンに関する。
【発明の詳細な説明】
【技術分野】
【０００１】
本発明は、２つの空気層とシート状の底になった部分からなる筒状を形成させたオットマンに関する。
【背景技術】
【０００２】
従来、本発明の様にエアーを入れて膨らませる物として挙げられる物は、風船（特許文献１）やエアークッション等があるが、エアークッションについては座る機能は十分に果たせるが、空気を入れた際、高さの制限が出来てしまい、オットマンとしての利用する事が出来なかった。
【特許文献１】特許公開２０００−０６１１５８
【発明の開示】
【発明が解決しようとする課題】
【０００３】
解決しようとする問題点は、従来ポリエチレンで形成したエアー物は、平面加工にて加工を行った場合、立体的にする事が難しく、オットマンとしての利用を行う事が出来なかった。そこで本発明は、平面加工にて２枚のシートを加工しさらにそのシートを筒状にシール加工する事により、オットマンとしての利用をする事が出来る物を提供する。
【課題を解決するための手段】
【０００４】
オットマン（１）において、オットマン（１）に空気層（２）、空気層（３）と底部（７）を設け、空気層（２）にシール部（４）、シール部（５）と逆支弁（８）を設け、空気層（３）にシール部（４）、シール部（６）を設けた事を特長とするオットマンに関する。
【発明の効果】
【０００５】
以上説明した本発明によれば、平面加工にて２枚のシートをシール加工しさらにシールされた２枚のシートを筒状にシールする事なより立体的なオットマンとしての利用が可能になり、普段使用しない場合は、空気を入れずに保管出来る為、持ち運ぶ際、楽に運ぶ事が可能になる。また折り畳みが簡単に行える為、防災グッズとしての利用も可能である。
【発明を実施するための最良の形態】
【０００６】
以下、図面を用いて本発明品の実施の形態を説明する。
オットマン（１）において、オットマン（１）に空気層（２）、空気層（３）と底部（７）を設け、空気層（２）にシール部（４）、シール部（５）と逆支弁（８）を設け、空気層（３）にシール部（４）、シール部（６）を設けた事を特長とするオットマンに関する。
【０００７】
図１は発明が示すオットマンに空気を入れた状態で表した物である。図１の空気層（２）、空気層（３）は空気層となり、空気を注入する事により本発明が示す足を乗せる部分が形成され、底部（７）を底部として設ける事により空気層（２）、空気層（３）、底部（７）が筒状に形成されオットマンとしての機能を果す事が出来る。
【０００８】
図２は本発明の断面を表した図である。上記で述べた様に本発明は空気層（２）、空気層（３）と底部（７）を筒状に形成する事によりエアーを入れた中心部に保温されたペットボトル（９）を差し込む事により、温かいオットマンとしての機能を持たせる事が可能である。
【図面の簡単な説明】
【０００９】
【図１】本発明の斜視図である。
【図２】本発明の断面図である。
【図３】本発明の展開図である。
【符号の説明】
【００１０】
１  オットマン
２  空気層
３  空気層
４  シール部
５  シール部
６  シール部
７  底部
８  逆支弁
９  ペットボトル
【図１】
2006326007.tif 000003
【図２】
2006326007.tif 000004
【図３】
2006326007.tif 000005